(57)【要約】【課題】  マクロ（接写）機能を備えるとともに、安価且つ小型化が可能なカメラモジュール及びその製造方法の提供。【解決手段】  レンズ１１，１２を収容したレンズホルダ１３と、レンズホルダ１３を支持する支持筒体１４が表面部に突設され、レンズ１１，１２の光軸方向後方に撮像素子１５を保持した撮像ユニット１６と、レンズホルダ１３の外周に固定されたマクロ操作子１７とを備え、レンズホルダ１３と支持筒体１４には、互いに螺合可能なねじ部２２，２３を有し、レンズホルダ１３を回転させることによりレンズ１１，１２と撮像素子１５との間の距離ｘを調整可能とし、マクロ操作子１７は、レンズ１１，１２と撮像素子１５との間の距離が通常の焦点距離をなす位置又はマクロ撮影可能な焦点距離をなす位置において支持筒体１４の外側部に配置された係止突起３０，３０に当接するストッパーを備えた。【選択図】  図２
2007052186.tif 000002
【特許請求の範囲】
【請求項１】
内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、
前記レンズホルダと前記支持筒体には、互いに螺合可能なねじ部を有し、前記レンズホルダを回転させることにより前記レンズと撮像素子との間の距離を調整可能とし、
前記マクロ操作子は、前記レンズと撮像素子との間の距離が通常の焦点距離をなす位置又はマクロ撮影可能な焦点距離をなす位置において前記支持筒体の外側部又は上面部に配置された係止突起に当接するストッパーを備え、前記レンズホルダが前記通常焦点距離位置とマクロ焦点距離位置との間の範囲内で移動できるようにしたことを特徴としてなるカメラモジュール。
【請求項２】
前記マクロ操作子は、支持筒体の外側に配置された周壁を備え、前記支持筒体に回転可能に配置された請求項１に記載のカメラモジュール。
【請求項３】
内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、前記レンズホルダと前記支持筒体には、互いに螺合可能なねじ部を有し、前記レンズホルダを回転させることにより前記レンズと撮像素子との間の距離を調整可能としたカメラモジュールの製造方法において、
前記マクロ操作子は、前記支持筒体の外側部又は上面部に配置された係止突起に当接されるストッパーを有し、前記支持筒体に対し、前記ストッパーが前記係止突起に時計回り方向の移動が規制される配置で当接する位置と反時計回り方向の移動が規制される配置で当接する位置との間で移動できるようにし、
前記マクロ操作子を前記一方の当接位置に移動させ、前記ストッパーを前記係止突起に当接させた状態で前記レンズホルダを支持筒体にねじ込み、焦点距離を調整した後、前記マクロ操作子をレンズホルダに固定し、前記ストッパーが前記レンズと撮像素子との間の距離が通常の焦点距離をなす位置又はマクロ撮影可能な焦点距離をなす位置において前記係止突起に当接するようにしたことを特徴としてなるカメラモジュールの製造方法。
【発明の詳細な説明】
【技術分野】
【０００１】
本発明は、主に携帯電話機に搭載されるマクロ（接写）機能付のカメラモジュール及びその製造方法に関する。
【背景技術】
【０００２】
近年、携帯電話機は、撮影機能を有するものが主流をなし、機体にはカメラモジュールが搭載されるようになっている。
【０００３】
カメラモジュールには、例えば図５に示すように、レンズ１，２を内部に収容する筒状のレンズホルダ３と、レンズホルダ３を支持するマクロリング４と、マクロリング４を支持する支持筒体５が表面部に突設され、レンズの光軸方向後方に配置されるＣＣＤやＣＭＯＳ等の撮像素子６を保持した撮像ユニット７とを備え、レンズホルダ３とマクロリング４及びマクロリング４と支持筒体５には、それぞれ互いに螺合するネジ部を有し、レンズホルダ３又はマクロリング４を回転させることによりレンズ１，２と撮像素子６との間の距離を調整できるようにしたものが知られている。
【０００４】
このカメラモジュールは、マクロリング４を所定の位置に固定した状態でマクロリング４に対しレンズホルダ３をねじ込むことによりフォーカス調整を行い、そのフォーカス調整された状態でレンズホルダ３が固定されたマクロリング４を支持筒体５に対して回動させることにより、レンズ１，２と撮像素子６との間の距離を通常の焦点距離をなす位置とマクロ（接写）撮影が可能な焦点距離をなす位置とに切り替えること、即ち、通常撮影モードとマクロ撮影モードとに切り替えることができるようになっている。
【発明の開示】
【発明が解決しようとする課題】
【０００５】
しかし、上述の如き従来のマクロ機能付カメラモジュールでは、レンズホルダの外側に更に内外両周部にねじ部を有するマクロリングを配置した構造であるため、小型化が困難であり、また、部品点数が多くなりコストが嵩むという問題があった。
【０００６】
そこで本発明は、上述の従来技術の問題を鑑み、マクロ（接写）機能を備えるとともに、安価且つ小型化が可能なカメラモジュール及びその製造方法の提供を目的とする。
【課題を解決するための手段】
【０００７】
上述の如き従来の問題を解決し、所期の目的を達成するための請求項１に記載の発明は、内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、前記レンズホルダと前記支持筒体には、互いに螺合可能なねじ部を有し、前記レンズホルダを回転させることにより前記レンズと撮像素子との間の距離を調整可能とし、前記マクロ操作子は、前記レンズと撮像素子との間の距離が通常の焦点距離をなす位置又はマクロ撮影可能な焦点距離をなす位置において前記支持筒体の外側部又は上面部に配置された係止突起に当接するストッパーを備え、前記レンズホルダが前記通常焦点距離位置とマクロ焦点距離位置との間の範囲内で移動できるようにしたカメラモジュールであることを特徴とする。
【０００８】
請求項２に記載の発明は、請求項１の構成に加え、前記マクロ操作子は、支持筒体の外側に配置された周壁を備え、前記支持筒体に回転可能に配置されたことを特徴とする。
【０００９】
請求項３に記載の発明は、内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、前記レンズホルダと前記支持筒体には、互いに螺合可能なねじ部を有し、前記レンズホルダを回転させることにより前記レンズと撮像素子との間の距離を調整可能としたカメラモジュールの製造方法において、前記マクロ操作子は、前記支持筒体の外側部又は上面部に配置された係止突起に当接されるストッパーを有し、前記支持筒体に対し、前記ストッパーが前記係止突起に時計回り方向の移動が規制される配置で当接する位置と反時計回り方向の移動が規制される配置で当接する位置との間で移動できるようにし、前記マクロ操作子を前記一方の当接位置に移動させ、前記ストッパーを前記係止突起に当接させた状態で前記レンズホルダを支持筒体にねじ込み、焦点距離を調整した後、前記マクロ操作子をレンズホルダに固定し、前記ストッパーが前記レンズと撮像素子との間の距離が通常の焦点距離をなす位置又はマクロ撮影可能な焦点距離をなす位置において前記係止突起に当接するようにしたカメラモジュールの製造方法であることを特徴とする。
【発明の効果】
【００１０】
本発明に係るカメラモジュールは、内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、前記レンズホルダと前記支持筒体には、互いに螺合可能なねじ部を有し、前記レンズホルダを回転させることにより前記レンズと撮像素子との間の距離を調整可能とし、前記マクロ操作子は、前記レンズと撮像素子との間の距離が通常の焦点距離をなす位置又はマクロ撮影可能な焦点距離をなす位置において前記支持筒体の外側部又は上面部に配置された係止突起に当接するストッパーを備え、前記レンズホルダが前記通常焦点距離位置とマクロ焦点距離位置との間の範囲内で移動できるようにしたことによって、ねじ部をフォーカス調整用及び通常撮影モードとマクロ撮影モードとの切り替え用に兼用できるので、マクロリング等の部品を減らして部品点数を少なくできるとともに小型化が可能となる。
【００１１】
前記マクロ操作子は、支持筒体の外側に配置された周壁を備え、前記支持筒体に対し回転可能に配置されたことにより、レンズホルダに固定される前においても好適に支持筒体に対し回動することができ、フォーカス調整に合わせて位置合わせすることができる。
【００１２】
本発明方法は、内部にレンズを収容した筒状のレンズホルダと、該レンズホルダを支持する支持筒体が表面部に突設され、前記レンズの光軸方向後方に撮像素子を保持した撮像ユニットと、前記レンズホルダの外周に固定されたマクロ操作子とを備え、前記レンズホルダと前記支持筒体には、互いに螺合可能なねじ部を有し、前記レンズホルダを回転させることにより前記レンズと撮像素子との間の距離を調整可能としたカメラモジュールの製造方法において、前記マクロ操作子は、前記支持筒体の外側部又は上面部に配置された係止突起に当接されるストッパーを有し、前記支持筒体に対し、前記ストッパーが前記係止突起に時計回り方向の移動が規制される配置で当接する位置と反時計回り方向の移動が規制される配置で当接する位置との間で移動できるようにし、前記マクロ操作子を前記一方の当接位置に移動させ、前記ストッパーを前記係止突起に当接させた状態で前記レンズホルダを支持筒体にねじ込み、焦点距離を調整した後、前記マクロ操作子をレンズホルダに固定し、前記ストッパーが前記レンズと撮像素子との間の距離が通常の焦点距離をなす位置又はマクロ撮影可能な焦点距離をなす位置において前記係止突起に当接するようにしたことによって、容易に焦点距離の調整（フォーカス調整）を行えるとともに、容易にマクロ機能を付加することができる。
【発明を実施するための最良の形態】
【００１３】
次に、本発明に係るカメラモジュールについて説明する。
【００１４】
図１〜図３は、本発明に係るカメラモジュールの一例を示し、図中符号１０はカメラモジュールである。
【００１５】
カメラモジュール１０は、内部にレンズ１１，１２を収容する筒状のレンズホルダ１３と、レンズホルダ１３を支持する支持筒体１４が表面部に突設され、内部に撮像素子１５を保持した撮像ユニット１６と、レンズホルダ１３の外周に固定されたマクロ操作子１７とを備え、マクロ操作子１７を操作することにより通常撮影モードとマクロ（接写）撮影モードとに切り替えて撮影することができるようになっている。
【００１６】
レンズホルダ１３は、円筒状の周壁部１８と、中央に入射開口１９が形成された端板部２０とをもって一端が閉鎖された筒状に形成され、内部に筒中心軸方向と光軸が一致する配置にレンズ１１，１２が収容されている。
【００１７】
また、レンズホルダ１３は、リング状のレンズ固定用リング２１を備え、この固定用リング２１を開口部内縁に固定することによりレンズ１１，１２がレンズホルダ１３内に固定されるようになっている。
【００１８】
このレンズホルダ１３は、周壁部１８の外周に、支持筒体１４内面に形成された雌ねじ部２２と互いに螺合する雄ねじ部２３を備え、支持筒体１４に対し回動させることにより筒軸方向に移動可能になっている。
【００１９】
また、レンズホルダ１３は、端板部２０の外周にフランジが一体に備えられている。
【００２０】
撮像ユニット１６は、ＣＣＤやＣＭＯＳ等の撮像素子１５が実装された回路基板２４と、回路基板２４の上面側を覆う箱状のカバー部材２５と、カバー部材２５の表面部に突設された円筒状の支持筒体１４とを備え、カバー部材２５の開口部裏面側に光学フィルタ２６が固定されている。
【００２１】
カバー部材２５は、中央に入射開口２７を有する平板状の天板２８と、天板の周囲を囲む周壁２９とを備え、下側に開口した箱状に形成され、このカバー部材２５の下縁に回路基板２４を固定することにより、撮像素子１５がカバー部材２５内部に保持されるようになっている。
【００２２】
また、カバー部材２５の表面部には、支持筒体１４の外側部に係止突起３０，３０が互いに対称配置に突設されている。
【００２３】
マクロ操作子１７は、中央にホルダ挿通孔３１が形成された円板状の固定板３２と、固定板３２の周囲を囲む円筒状の周壁３３と、外向きに突出した操作レバー３４とを一体に備え、周壁３３が支持筒体１４の外側に配置され、支持筒体１４に対し回動可能になっている。
【００２４】
ホルダ挿通孔３１は、レンズホルダ１３の外径と略同じ径に形成され、このホルダ挿通孔３１にレンズホルダ１３を通した状態で固定板３２がレンズホルダ１３の外周に接着剤等により固定されている。
【００２５】
周壁３３の固定板３２とは反対側の端縁には、対称配置にストッパー３５，３５が一体に突設され、このストッパー３５，３５が周方向両係止突起３０，３０間で移動するようになっている。
【００２６】
即ち、ストッパー３５は、レンズ１１，１２と撮像素子１５との間の距離ｘが、通常撮像における焦点距離をなす位置又はマクロ（接写）撮影における焦点距離をなす位置において係止突起３０と当接するように配置され、それにより通常焦点距離位置とマクロ焦点距離位置との間を切り替えることができるようになっている。
【００２７】
尚、ストッパー３５と係止突起３０との間の相対的な位置関係は、ねじ部のピッチ、レンズの屈折率等の諸条件に基づいて決定される。
【００２８】
このように構成されたカメラモジュール１０は、レンズホルダ１３を支持筒体１４にねじ込むことによりレンズ１１，１２、光学フィルタ２６及び撮像素子１５が同一の光軸上に配置される。
【００２９】
そして、図４（ａ）に示すように、時計回り方向の移動が規制される配置にストッパー３５が係止突起３０に当接する位置にマクロ操作子１７を移動させることにより、レンズ１１，１２と撮像素子１５との距離ｘが通常撮影時の焦点距離をなすようになっている。
【００３０】
また、図４（ｂ）に示すように、反時計回り方向の移動が規制される配置にストッパー３５が係止突起３０に当接する位置までマクロ操作子１７を移動させ、レンズホルダ１３を支持筒体１４に対して反時計回転させることにより、支持筒体１４に対してレンズホルダ１３が螺進してレンズホルダ１３内に収容されたレンズ１１，１２と撮像素子１５との間が広がることにより、レンズ１１，１２と撮像素子１５との間の距離ｘがマクロ（接写）可能な焦点距離をなすようになっている。
【００３１】
次に、上述のカメラモジュール１０の製造方法について説明する。
【００３２】
このカメラモジュール１０の製造方法は、撮像ユニット１６に、マクロ操作子１７及びレンズホルダ１３を組み込み、レンズホルダ１３を支持筒体１４にねじ込みフォーカス調整を行った後、レンズホルダ１３の外周にマクロ操作子１７を固定することにより行われる。
【００３３】
レンズホルダ１３は、開口部より光軸を合わせて順次レンズ１１，１２を挿入し、開口縁部に固定用リング２１を嵌め込み、開口内縁に固定用リング２１を固定することによりレンズ１１，１２を固定しておく。
【００３４】
一方、撮像ユニット１６は、回路基板２４上の中央部にＣＣＤやＣＭＯＳ等の撮像素子１５を実装し、その回路基板２４をカバー部材２５の下縁にカバー部材２５の下側開口を閉鎖するように固定することにより形成されている。尚、光学フィルタ２６は予めカバー部材２５の入射開口裏側に固定しておく。
【００３５】
このように組まれた撮像ユニット１６の支持筒体１４の外側に、マクロ操作子１７を嵌め込み、支持筒体１４にマクロ操作子１７を回転可能に支持させ、マクロ操作子１７が支持筒体１４に対し、ストッパー３５が係止突起３０に時計回り方向の移動が規制される配置で当接する位置と反時計回り方向の移動が規制される配置で当接する位置との間で移動できるようにする。
【００３６】
そして、レンズホルダ１３をマクロ操作子１７のホルダ挿通孔３１を通して支持筒体１４にねじ込み、支持筒体１４にレンズホルダ１３を支持させる。
【００３７】
これにより、レンズ１１，１２、光学フィルタ２６及び撮像素子１５が同一光軸上に配置される。
【００３８】
次に、マクロ操作子１７を回転させ時計回り方向の移動が規制される配置にストッパー３５を係止突起３０に当接させる。
【００３９】
この状態で、レンズホルダ１３を回転させてレンズ１１，１２と撮像素子１５との間の距離ｘが通常撮影時における焦点距離となるように位置調整し、調整された位置において接着剤によってレンズホルダ１３の外周にマクロ操作子１７を相対移動不能に固定する。
【００４０】
これにより、ストッパー３５が係止突起３０に当接した位置において通常撮影が可能になり、また、マクロ操作子１７を操作してレンズホルダ１３を回転させることにより、レンズ１１，１２と撮像素子１５との間の距離が広がり、その距離がマクロ（接写）撮影可能な焦点距離となる位置でストッパー３５が反時計回り方向の移動を規制する配置に係止突起３０に当接され、マクロ（接写）撮影可能となる。
【００４１】
以上でマクロ機能付のカメラモジュールが完成する。
【００４２】
尚、上述の実施例では、対称に配置された一対の係止突起及びストッパーを備えた例について説明したが、一対の係止突起に対し一つのストッパーを配したもの、一つの係止突起に対し一対のストッパーを配したもの等であってもよい。
【００４３】
また、上述の実施例では、係止突起を支持筒体の外側部に配置した例について説明したが、係止突起を支持筒体の上面部に配置してもよい。
【００４４】
更に、上述の実施例では、レンズホルダとマクロ操作子とを接着剤により固定した例について説明したが、熱融着や、その他の固定方法を用いて固定してもよい。
【図面の簡単な説明】
【００４５】
【図１】本発明に係るカメラモジュールを示す斜視図である。
【図２】同上のカメラモジュールを示す断面図である。
【図３】図２中のＡ−Ａ線断面図である。
【図４】（ａ）は通常撮影モードにおけるマクロ操作子の位置関係を示す概略図、（ｂ）は同マクロ撮影モードにおけるマクロ操作子の位置関係を示す概略図である。
【図５】従来の接写機能付のカメラモジュールの一例を示す断面図である。
【符号の説明】
【００４６】
１０  カメラモジュール
１１，１２  レンズ
１３  レンズホルダ
１４  支持筒体
１５  撮像素子
１６  撮像ユニット
１７  マクロ操作子
１８  周壁部
１９  入射開口
２０  端板部
２１  レンズ固定用リング
２２  雌ねじ部
２３  雄ねじ部
２４  回路基板
２５  カバー部材
２６  光学フィルタ
２７  入射開口
２８  天板
２９  周壁
３０  係止突起
３１  ホルダ挿通孔
３２  固定板
３３  周壁
３４  操作レバー
３５  ストッパー
【図１】
2007052186.tif 000003
【図２】
2007052186.tif 000004
【図３】
2007052186.tif 000005
【図４】
2007052186.tif 000006
【図５】
2007052186.tif 000007